(57)【要約】【課題】  それぞれコンデンサ１０を備えて該コンデンサ１０の電圧を交流に変換して出力する複数の電圧補償回路ＰＮを電力系統に直列に接続して、系統電圧の瞬低時に、所望の電圧補償回路ＰＮの組み合わせにより補償電圧を発生して瞬低補償する電圧変動補償装置において、コンデンサ１０の充電回路を簡素化すると共に、瞬低補償で電圧低下したコンデンサ電圧を速やかに復帰させる。【解決手段】  瞬低補償終了後に、系統電圧が正常に復帰した状態で、系統電圧と系統電流が同極性の期間に、所定の電圧補償回路ＰＮの出力電圧を系統と逆極性にして、負荷電圧を許容される程度の電圧低下に抑えつつ、系統電圧から上記電圧補償回路ＰＮを介してコンデンサ１０を充電する。【選択図】        図４
2005073376.tif 000002
【特許請求の範囲】
【請求項１】
それぞれコンデンサの電圧を交流に変換して出力する複数の電圧補償回路を電力系統に直列に接続し、該電力系統における電圧低下の監視、およびそれに基づく給電制御を行う制御部を備えて、系統電圧低下時に、上記複数の電圧補償回路の中から所望の組み合わせを選択し、その出力電圧の総和を上記系統電圧に重畳して上記系統電圧の低下を補償し、負荷に供給される電圧の変動を抑える電圧変動補償装置において、上記電力系統から上記電圧補償回路を介して上記コンデンサを充電する手段を有し、上記系統電圧が低下していない通常時に、上記電圧補償回路を介して上記負荷に電力供給しつつ、上記電圧補償回路の出力電圧を該電圧補償回路を流れる系統電流の極性と逆極性として、該電圧補償回路が有する上記コンデンサを充電することを特徴とする電圧変動補償装置。
【請求項２】
上記電圧補償回路を流れる系統電流の極性が上記系統電圧と同極性の場合のみ、上記電力系統から上記電圧補償回路を介して上記コンデンサを充電することを特徴とする請求項１記載の電圧変動補償装置。
【請求項３】
上記コンデンサを充電する際、上記負荷に供給される電圧の低下量が所定の許容量以下となるように、上記電圧補償回路から出力される上記系統電流極性の逆極性電圧（以下、単に逆極性電圧と称す）を制御することを特徴とする請求項１または２記載の電圧変動補償装置。
【請求項４】
上記コンデンサを充電する際、上記複数の電圧補償回路の中から、各出力電圧極性が上記系統電流と同極性のものを含むことを可能にして所望の組み合わせを選択し、その出力電圧の総和による上記逆極性電圧にて上記コンデンサを充電することを特徴とする請求項３記載の電圧変動補償装置。
【請求項５】
上記複数の各電圧補償回路は、ダイオードが逆並列に接続された複数個の半導体スイッチング素子から成るインバータを備え、上記コンデンサを充電する際、上記インバータ内の各半導体スイッチング素子をＰＷＭ制御を用いて駆動制御することを特徴とする請求項３または４記載の電圧変動補償装置。
【請求項６】
上記各電圧補償回路内の上記コンデンサの電圧低下を検出する手段を有し、該電圧低下が検出されたコンデンサを充電するように、上記各電圧補償回路から電圧出力することを特徴とする請求項１〜５のいずれかに記載の電圧変動補償装置。
【請求項７】
上記コンデンサの電圧低下が解消された時点で、上記電圧補償回路は上記系統電圧への上記逆極性電圧の重畳を止め、上記コンデンサへの充電を終了することを特徴とする請求項６記載の電圧変動補償装置。
【発明の詳細な説明】
【技術分野】
【０００１】
この発明は、負荷に供給される電力系統の電圧が瞬時的に変動した際に、それを検出して電圧変動を補償する電圧変動補償装置に関するものである。
【背景技術】
【０００２】
雷などにより電力系統の電圧が瞬時的に低下し、工場などの精密機器などが誤作動や一時停止することにより、生産ラインで多大な被害を被ることがある。このような被害を防ぐために、電力系統の瞬時的電圧低下（以下、瞬低と称す）などの電圧変動を監視して、電圧低下を補償する電圧変動補償装置が用いられている。
従来の電圧変動補償装置は、電力系統に直列に接続され、正負いずれかの極性で補償電圧を出力する複数の電圧補償回路で構成される。各電圧補償回路には、ダイオードが逆並列に接続された４個の半導体スイッチング素子から成るフルブリッジインバータ、および充電コンデンサが備えられ、充電コンデンサの直流電圧を交流に変換して出力する。また、各電圧補償回路の出力端には、高速機械式の定常短絡スイッチが並列に設けられる。各電圧補償回路内の充電コンデンサは、充電ダイオードと充電用トランスによってそれぞれ異なる電圧が充電され、電圧の比は概ね２のべき乗比に設定される。
【０００３】
定常時、電流は定常短絡スイッチを流れる。また電力系統の瞬低時には、電力系統の電圧低下量を、各電圧補償回路内の充電コンデンサの電圧検出値を各ビット信号の基準値として、該基準値と照合することにより２進数の信号にＡ／Ｄ変換し、該信号によって、上記複数の電圧補償回路の中から所望の組み合わせを選択し、その出力電圧の総和で電力系統の電圧低下を補償する。また、２進数の信号により選択される電圧補償回路が、出力電圧が電力系統の電圧極性と逆極性のものを含むことを可能とし、出力電圧が電力系統と同極性の電圧補償回路内のコンデンサは動作時に放電され、逆極性の電圧補償回路内のコンデンサは動作時に充電される（例えば、特許文献１参照）。
【０００４】
【特許文献１】特開２００２−３５９９２８号公報
【発明の開示】
【発明が解決しようとする課題】
【０００５】
このような従来の電圧変動補償装置においては、補償動作時に頻繁に用いられる低電圧の充電コンデンサについては、電圧低下を抑制するため、必要に応じて系統電圧と逆極性にして他の電圧補償回路内の充電コンデンサの電圧を用いて充電していた。しかしながら、複数の電圧補償回路内の充電コンデンサ全体としては、充電用トランスを用いて、一定の電圧に充電される。このため、補償動作終了後に電圧が低下した充電コンデンサを高速に充電するのは困難であり、また、充電トランスの容量を低減して充電設備を簡素化するには限界があるという問題点があった。
【０００６】
この発明は、上記のような問題点を解消するために成されたものであって、電圧補償回路内のコンデンサを高速に充電して補償動作の信頼性を向上すると共に、充電設備を簡素化して装置構成を小型化、簡略化することを目的とする。
【課題を解決するための手段】
【０００７】
この発明に係る電圧変動補償装置は、それぞれコンデンサの電圧を交流に変換して出力する複数の電圧補償回路を電力系統に直列に接続し、該電力系統における電圧低下の監視、およびそれに基づく給電制御を行う制御部を備えて、系統電圧低下時に、上記複数の電圧補償回路の中から所望の組み合わせを選択し、その出力電圧の総和を上記系統電圧に重畳して上記系統電圧の低下を補償し、負荷に供給される電圧の変動を抑える。そして、上記電力系統から上記電圧補償回路を介して上記コンデンサを充電する手段を有し、上記系統電圧が低下していない通常時に、上記電圧補償回路を介して上記負荷に電力供給しつつ、上記電圧補償回路の出力電圧を該電圧補償回路を流れる系統電流の極性と逆極性として、該電圧補償回路が有する上記コンデンサを充電するものである。
【発明の効果】
【０００８】
この発明による電圧変動補償装置では、系統電圧が低下していない通常時に、系統電圧から負荷に電力供給するための主回路である電圧補償回路を介してコンデンサを充電するようにするため、コンデンサを高速に充電できると共に、充電のための大容量のトランスが不要となる。このため、補償動作の信頼性が向上すると共に、充電設備を簡素化して装置構成を小型化、簡略化できる。
【発明を実施するための最良の形態】
【０００９】
実施の形態１．
以下、この発明の実施の形態１について説明する。図１はこの発明の実施の形態１による電圧変動補償装置１００の概略構成図である。
図１に示すように、送電線１からの電力は、変圧器２により降圧されて、電圧変動補償装置１００を介して需要家３（負荷）に接続され、電力が供給される。電圧変動補償装置１００は、図に示すように、複数（この場合３個）の電圧補償ユニット１５と制御回路１６とで構成され、正負いずれかの極性で補償電圧を出力する電圧補償回路ＰＮ１、ＰＮ２、ＰＮ３が電力系統に直列に接続される。各電圧補償ユニット１５には、ダイオードが逆並列に接続された４個のＩＧＢＴ９ｓｗ１１〜９ｓｗ１４、９ｓｗ２１〜９ｓｗ２４、９ｓｗ３１〜９ｓｗ３４から成るフルブリッジインバータ、および充電コンデンサ１０ｐｎ１〜１０ｐｎ３で構成される各電圧補償回路ＰＮ（ＰＮ１、ＰＮ２、ＰＮ３）と、充電コンデンサ１０（１０ｐｎ１〜１０ｐｎ３）を充電するための充電ダイオード１１と充電用トランス１４の２次巻線１３とが備えられる。なお、充電用トランス１次巻線１２は、電力系統と接続される。
【００１０】
また、充電コンデンサ１０（以下、単にコンデンサ１０と称す）の充電電圧Ｖ１〜Ｖ３は、ＩＧＢＴ９（９ｓｗ１１〜９ｓｗ１４、９ｓｗ２１〜９ｓｗ２４、９ｓｗ３１〜９ｓｗ３４）のオン／オフ制御により正負いずれかの極性で電力系統に接続される。各電圧補償回路ＰＮ１、ＰＮ２、ＰＮ３内のコンデンサ１０に充電される電圧の比は概ね２のべき乗比に設定されている。つまり、以下の関係を満足させる。
Ｖ３＝２×Ｖ２＝２×２×Ｖ１
また、直列接続された複数の電圧補償回路ＰＮの出力端には、並列に高速機械式の定常短絡スイッチ８が設けられる。
なお、この定常短絡スイッチ８は、各電圧補償回路ＰＮと並列にそれぞれ設けても良い。
また、フルブリッジインバータはＩＧＢＴ９以外の自己消弧型半導体スイッチング素子で構成しても良い。
【００１１】
定常短絡スイッチ８および各ＩＧＢＴ９は制御回路１６に接続される。この制御回路１６の構成および動作について、図２に基づいて以下に説明する。
図２に示すように、系統電圧Ｖｘ、系統電流Ｉｘは制御回路１６に入力され、極性判定回路２４にてそれぞれ極性が判定され、極性判定回路２４は、電圧極性信号２４ａを出力すると共に、系統電圧極性と系統電流極性とが異極性であるとき異極性検出信号２４ｂを出力する。また、系統電圧Ｖｘは誤差増幅器２１にも入力され、誤差増幅器２１では、系統電圧Ｖｘを、予め設定された正常時の系統電圧である基準電圧２０と比較し、両者の差を増幅し、さらに絶対値変換を施して誤差電圧信号２１ａを出力する。
また、各電圧補償回路ＰＮ内のコンデンサ１０は電圧検出器を備えて電圧をモニタしており、電圧検出値Ｖ１、Ｖ２、Ｖ３を制御回路１６に入力する。
【００１２】
Ａ/Ｄ変換器２２では、誤差増幅器２１からの誤差電圧信号２１ａ、極性判定回路２４からの異極性検出信号２４ｂ、各コンデンサの電圧検出値Ｖ１、Ｖ２、Ｖ３を入力として、３ビットのデジタル信号（Ｄ１〜Ｄ３）を出力する。この３ビットのデジタル信号（Ｄ１〜Ｄ３）は、各ビットのデジタル信号（Ｄ１、Ｄ２、Ｄ３）の値を−１、＋１の双方を可能とした２進数値で構成され、出力電圧を発生させる電圧補償回路ＰＮ１、ＰＮ２、ＰＮ３の組み合わせと、各出力電圧の極性とを選択する。
また、２３は瞬低検出部で、瞬低検出して信号ｚ（＝０）により定常短絡スイッチ８をオフする。
さらに、２５は、各電圧補償回路ＰＮのインバータの駆動信号を発生する駆動信号発生器で、極性判定回路２４からの電圧極性信号２４ａと、デジタル信号Ｄ１〜Ｄ３とを入力として、各電圧補償回路ＰＮのインバータの駆動信号ｇ１１〜ｇ１４、ｇ２１〜ｇ２４、ｇ３１〜ｇ３４を発生する。
【００１３】
瞬低が発生していない通常時で各コンデンサ１０の電圧が低下していない時、デジタル信号Ｄ１〜Ｄ３は全て０であり、定常短絡スイッチ８はオン状態で、系統電力は抵抗の小さい機械式の定常短絡スイッチ８を通して負荷３に供給される。
また系統電圧の瞬低時には、誤差増幅器２１からの誤差電圧信号２１ａに基づいて発生されたデジタル信号Ｄ１〜Ｄ３によって、出力すべき電圧補償回路ＰＮ１、ＰＮ２、ＰＮ３が選択される。系統電圧Ｖｘと基準電圧２０との差が、充電コンデンサ１０ｐｎ１の充電電圧Ｖ１と等しくなったとき、Ａ/Ｄ変換器２２からの出力信号における最下位ビットＤ１のみが１、即ち゛００１゛となるよう、また、同様に゛０１０゛・・・゛１１１゛の場合も、充電コンデンサ１０の充電電圧の組み合わせと等しくなるように誤差増幅器２１のゲインは予め調整しておく。
【００１４】
Ｄ１〜Ｄ３の信号のいずれかが１となると、瞬低検出部２３を通して、信号ｚ（＝０）により定常短絡スイッチ８をオフする。そして、駆動信号発生器２５からの駆動信号ｇにより、系統電圧Ｖｘと同極性の補償電圧が出力される。
このような補償動作時における基準電圧、電圧変動補償装置（以下、補償装置と称す）の出力である補償電圧および系統電圧と、各電圧補償回路ＰＮ１〜ＰＮ３の出力との関係を図３に示す。図３（ａ）に示すように、系統電圧が基準電圧よりも低下する瞬低時に、その電圧低下量を補償するように、補償装置出力である補償電圧が発生される。この補償電圧Ｖoutは、図３（ｂ）、図３（ｃ）に示すように、各電圧補償回路ＰＮ１〜ＰＮ３からそれぞれ発生される出力電圧の総和から成る。なお、電圧変動補償装置１００全体から８階調の電圧出力を発生することができ、最大の補償電圧は、Ｖｃ（＝７×Ｖ１）となる。
【００１５】
以上のような瞬低時の補償動作により、各電圧補償回路ＰＮ１〜ＰＮ３内の充電コンデンサ１０の充電電圧は低下する。このため、系統電圧が正常に復帰した後に、コンデンサ１０を充電し、次の瞬低補償に備える。
Ａ/Ｄ変換器２２では、系統電圧が正常に復帰すると、各コンデンサ１０の電圧検出値Ｖ１、Ｖ２、Ｖ３からコンデンサ１０の電圧低下を検出し、充電すべきコンデンサ１０を有する電圧補償回路ＰＮから系統電圧と逆極性の電圧を出力させるようにデジタル信号Ｄ１〜Ｄ３を出力する。例えば、Ｄ１＝−１とすると、電圧補償回路ＰＮ１は系統電圧と逆極性の出力電圧を発生し、電圧補償回路ＰＮ１内のコンデンサ１０ｐｎ１は、電力系統から電圧補償回路ＰＮ１を介して充電される。
【００１６】
このようなコンデンサ１０への充電により、負荷３に供給される電圧が低下するものであるが、複数のコンデンサ１０を、充電と放電とを組み合わせることにより、負荷電圧の低下を抑制する。
図４において、直列接続された複数の電圧補償回路ＰＮ１〜ＰＮ３は、全体でＶ１−Ｖ２の電圧を発生して系統電圧に重畳する。ここでは、系統電圧は正極性の場合を示し、瞬低補償終了後に電圧補償回路ＰＮ２内のコンデンサ１０ｐｎ２の電圧低下が検出され、このコンデンサ１０ｐｎ２に充電するように動作させる。Ａ/Ｄ変換器２２からの出力を、Ｄ１＝１、Ｄ２＝−１、Ｄ３＝０とすることで、図４に示すように、コンデンサ１０ｐｎ２は、電力系統から電圧補償回路ＰＮ１を介して充電されるが、系統電圧と逆極性の電圧発生は、全体でＶ１−Ｖ２となり、負荷電圧の低下は１階調分となる。
【００１７】
ここで、駆動信号発生器２５からの駆動信号による各電圧補償回路の動作について以下に説明する。
例えば、図１で示す電圧補償回路ＰＮ１においては、最下位ビットＤ１＝１のときに、系統電圧Ｖｘの極性が正の場合、ＩＧＢＴ９ｓｗ１１、９ｓｗ１４をオンし、ＩＧＢＴ９ｓｗ１２、９ｓｗ１３をオフすることにより、充電電圧Ｖ１を正極性で出力する。また系統電圧の極性が負の場合、ＩＧＢＴ９ｓｗ１２、９ｓｗ１３をオンし、ＩＧＢＴ９ｓｗ１１、９ｓｗ１４をオフすることにより、充電電圧Ｖ１を負極性で出力する。
また、最下位ビットＤ１＝−１のときに、系統電圧Ｖｘの極性が正の場合、ＩＧＢＴ９ｓｗ１２、９ｓｗ１３をオンし、ＩＧＢＴ９ｓｗ１１、９ｓｗ１４をオフすることにより、充電電圧Ｖ１を負極性で出力する。また系統電圧の極性が負の場合、ＩＧＢＴ９ｓｗ１１、９ｓｗ１４をオンし、ＩＧＢＴ９ｓｗ１２、９ｓｗ１３をオフすることにより、充電電圧Ｖ１を正極性で出力する。このＤ１＝−１の場合、出力させる電圧は系統電圧と逆極性の電圧であり、即ち、系統電圧によりコンデンサ１０が充電されるものである。
またＤ１＝０のとき、ＩＧＢＴ９ｓｗ１１〜９ｓｗ１４、のうち上アーム側９ｓｗ１２、９ｓｗ１４あるいは下アーム側９ｓｗ１１、９ｓｗ１３のどちらか一方をオン状態とし他方をオフ状態として出力端を短絡し、電圧補償回路ＰＮ１からの出力をほぼゼロとする。
【００１８】
ところで、上述したようなコンデンサ１０への充電動作は、系統電圧と逆極性の電圧を電圧補償回路ＰＮにて発生させることで行ったが、実際には、負荷３に供給される系統電流と逆極性の電圧を発生させた場合にのみ充電されるもので、このため、異極性検出信号２４ｂにより系統電圧極性と系統電流極性とが異極性であることが検出されると、逆極性電圧の発生、即ちコンデンサ１０への充電動作を停止し、系統電圧に電圧を重畳させずにそのまま負荷３へ供給する。
【００１９】
次いで、各コンデンサ１０の電圧検出値Ｖ１、Ｖ２、Ｖ３からコンデンサ１０の電圧が復帰したことが検出されると、定常短絡スイッチ８をオンし、系統電力は抵抗の小さい機械式の定常短絡スイッチ８を通して負荷３に供給される。各コンデンサ１０の電圧はほぼ基準状態に回復しているが、通常、各コンデンサ１０の電圧は基準電圧よりも若干高めに充電しておくため、充電用トランス１４を介してゆっくり充電する。
なお、系統電圧と逆極性の電圧を発生させてコンデンサ１０への充電動作を行っている途中で、系統電圧に瞬低が発生すると、コンデンサ１０への充電動作を止め、速やかに補償動作に切り替える。
【００２０】
この実施の形態では、瞬低時の補償動作により、各電圧補償回路ＰＮ１〜ＰＮ３内の充電コンデンサ１０の充電電圧が低下すると、系統電圧が正常に復帰した後に続いて、系統電圧と系統電流が異極性となる期間を除いて、充電すべきコンデンサ１０の電圧補償回路ＰＮから系統電圧と逆極性の出力電圧を発生させて、電力系統から電圧補償回路ＰＮを介してコンデンサ１０を充電させる。このように、負荷３に電力供給するための主回路である電圧補償回路ＰＮを介して系統電圧からコンデンサ１０を充電するため、コンデンサ１０を高速に充電できてコンデンサ１０の電圧を回復できる。このため、各コンデンサ１０の電圧が概２Ｋ倍の関係に速やかに復帰でき、補償動作の信頼性が向上する。このため、短い間隔で瞬低が繰り返し断続的に発生するような場合でも、高精度な補償動作が継続できる。
【００２１】
また、充電用トランス１４は、コンデンサ１０の電圧が補償動作に問題ない程度に回復した後にさらに充電するために用いるため、ゆっくり充電できればよい。このため、小型で簡略なものでよく、省略することも可能である。これにより、コンデンサ１０の充電のための充電設備を簡素化して装置構成を小型化、簡略化できる。
【００２２】
なお、上記実施の形態では、系統電圧と系統電流が異極性となる期間を除いて、充電すべきコンデンサ１０の電圧補償回路ＰＮから系統電圧と逆極性の出力電圧を発生させた。コンデンサ１０を充電する際に、電圧補償回路ＰＮから発生される出力電圧を、系統電流の極性と常に逆極性になるように制御して充電してもよいことは明らかであるが、上記のように、系統電圧と系統電流が同極性となる期間のみ充電することで、制御が簡略化できる。系統電圧の極性と負荷３に供給される系統電流の極性との関係は、負荷３の力率によって決まるが、通常負荷力率は０．７から１．０程度であるため、コンデンサ１０に充電されるエネルギは、系統電圧と系統電流が同極性となる期間に充電されるものが大部分である。このため、系統電圧と系統電流が異極性となる期間を除いても、コンデンサ１０を高速に充電できてコンデンサ１０の電圧を回復できる効果が十分に得られる。
【００２３】
実施の形態２．
ところで、一般的に負荷３は、定格からの電圧低下量が１０％程度以下であれば問題なく正常に動作する。そこで、この実施の形態では、上記実施の形態１で示した電圧変動補償装置において、コンデンサ１０を充電する際に、負荷３に供給される負荷電圧の低下量が定格から１０％程度以下となるように制御する。
図５に示すように、瞬低が終了して系統電圧が低下していない通常状態に復帰すると、系統電圧のピーク値周辺で系統電圧と逆極性の逆極性電圧Ｖoutを補償装置から出力させる。この場合、電圧補償回路ＰＮ１内のコンデンサ電圧であるＶ１の大きさに相当する１階調の電圧を逆極性電圧Ｖoutとして出力し、さらに、この逆極性電圧が系統電圧の１０％以下となるように、系統電圧のピーク値周辺で出力させる。これにより、図に示すように、系統電圧に補償装置出力の逆極性電圧Ｖoutが重畳された負荷電圧は、ピーク値周辺で逆極性電圧Ｖout分だけ低下する。
【００２４】
図１に示す補償装置１００では、１階調の逆極性電圧を発生させる組み合わせは、系統電圧を正とすると、−Ｖ１、Ｖ１−Ｖ２、Ｖ１＋Ｖ２−Ｖ３の３種類である。これらを、コンデンサ１０の充電電圧の低下状態に応じて選択して用いることで、負荷電圧を許容される正常状態に保持しながら、電圧低下したコンデンサ１０を確実に高速充電できる。
【００２５】
充電中の各時刻において、コンデンサ１０のいずれを充電するかの選択は、例えば次のように行う。
１）Ｖ１＞（Ｖ２／２）＞（Ｖ３／４）、あるいは（Ｖ２／２）＞Ｖ１＞（Ｖ３／４）のとき、Ｖ１＋Ｖ２−Ｖ３の逆極性電圧を発生し、電圧補償回路ＰＮ３のコンデンサ１０を充電する。
２）Ｖ１＞（Ｖ３／４）＞（Ｖ２／２）、あるいは（Ｖ３／４）＞Ｖ１＞（Ｖ２／２）のとき、Ｖ１−Ｖ２の逆極性電圧を発生し、電圧補償回路ＰＮ２のコンデンサ１０を充電する。
３）（Ｖ３／４）＞（Ｖ２／２）＞Ｖ１、あるいは（Ｖ２／２）＞（Ｖ３／４）＞Ｖ１のとき、のとき、−Ｖ１の逆極性電圧を発生し、電圧補償回路ＰＮ１のコンデンサ１０を充電する。
【００２６】
このように、各コンデンサ１０の電圧検出値の比から充電すべきコンデンサ１０を選択することで、コンデンサ電圧が概２Ｋ倍の関係に速やかに復帰でき、補償動作の信頼性が向上する。また、上記実施の形態１と同様に、コンデンサ１０の充電のための充電設備を簡素化して装置構成を小型化、簡略化できる。
【００２７】
なお、この実施の形態では、補償装置から０〜７の８階調の電圧出力を発生することができ、コンデンサ１０を充電する際に１階調の逆極性電圧を出力させたが、これに限るものではない。即ち、補償装置は、４つ以上の電圧補償回路ＰＮを直列に接続して出力階調数を増大してもよく、コンデンサ１０を充電する際に出力する逆極性電圧は、系統電圧の１０％以下であれば、２以上の階調でもよく、逆極性電圧の出力期間が長くなるように異なる階調の電圧を組み合わせて用いてもよい。
【００２８】
上記実施の形態２で示した充電動作における充電時間について、以下に説明する。
系統の基準電圧をＶn、瞬低後の系統電圧がＶs（位相変化なし）、コンデンサｊの容量をＣj、コンデンサｊの初期充電電圧をＶChj、補償動作により発生するコンデンサｊの電圧低下を△ＶCj、負荷電流をＩn、負荷力率をpf、瞬低継続時間をＴとすると、概ね次の関係が成り立つ（j＝１０ｐｎ１、１０ｐｎ２、１０ｐｎ３）。
Σ1/2×Ｃj×［ＶChj２−(ＶChj−△ＶCj)２］＝(Ｖn−Ｖs)×Ｉn×pf×Ｔ
逆極性電圧としてα×Ｖnを発生してコンデンサｊを充電する場合、充電時間をＴ2、充電中のコンデンサｊの電圧をＶCjとすると概ね次の関係が成り立つ。
Σ1/2×Ｃj×［ＶCj２−(ＶChj−△ＶCj)２］＝α×Ｖn×Ｉn×pf×Ｔ2
ここで、ＶCj＝ＶChjまでコンデンサｊを充電するとすると
Ｔ2＝(Ｔ／α)×Ｖn／(Ｖn−Ｖs)
となる。
但し、Ｖn−Ｖsは、Ｖnの１０％〜１００％程度、αは０．１程度である。
【００２９】
実施の形態３．
上記実施の形態２では、逆極性電圧が系統電圧の１０％以下となるように、系統電圧のピーク値周辺で出力させたが、この実施の形態では、図６に示すように、補償装置から出力される逆極性電圧Ｖoutを、正弦波による滑らかな電圧波形で出力させる。この場合、逆極性電圧Ｖoutは系統電圧の１０％程度で出力し、これにより、系統電圧に補償装置出力の逆極性電圧Ｖoutが重畳された負荷電圧は、系統電圧の９０％程度の正弦波による電圧波形となる。
このような、逆極性電圧Ｖoutは、各電圧補償回路ＰＮ内の複数のＩＧＢＴから成るインバータをＰＷＭ制御を用いて駆動制御することで出力できる。
【００３０】
例えば、上記実施の形態２と同様に、１階調の逆極性電圧を用いるとして、所望のコンデンサ１０に充電可能な出力パターンを選択し、各電圧補償回路ＰＮ内のインバータに対してＰＷＭ制御により生成された駆動信号を出力する。これにより、負荷３への供給電圧が正弦波による滑らかな電圧波形となり、負荷３への悪影響が防止できる。また、上記実施の形態２と同様に、負荷電圧を許容される正常状態に保持しながら、電圧低下したコンデンサ１０を確実に高速充電できる。また、コンデンサ電圧が概２Ｋ倍の関係に速やかに復帰でき、補償動作の信頼性が向上する。さらに、コンデンサ１０の充電のための充電設備を簡素化して装置構成を小型化、簡略化できる。
【００３１】
なお、この場合、系統電圧の１０％を超える階調で逆極性電圧を発生するパターンを選択しても、補償装置から出力される逆極性電圧Ｖoutを、ＰＷＭ制御により、系統電圧の１０％程度の正弦波形で出力させることができる。このため、大型のフィルタが必要にならない程度に補償装置の出力階調を大きくしても良い。
【図面の簡単な説明】
【００３２】
【図１】この発明の実施の形態１による電圧変動補償装置の構成図である。
【図２】この発明の実施の形態１による制御回路を示す回路図である。
【図３】この発明の実施の形態１による補償動作を説明する電圧波形図である。
【図４】この発明の実施の形態１による充電動作を説明する図である。
【図５】この発明の実施の形態２による充電動作を説明する図である。
【図６】この発明の実施の形態３による充電動作を説明する図である。
【符号の説明】
【００３３】
３  負荷（需要家）、
９sw11〜９sw14，９sw21〜９sw24，９sw31〜９sw34  インバータ（半導体スイッチング素子としてのＩＧＢＴ）、
１０（１０ｐｎ１，１０ｐｎ２，１０ｐｎ３）  充電コンデンサ、１６  制御回路、
２３  瞬低検出部、２４  極性判定回路、２４ｂ  異極性検出信号、
２５  駆動信号発生器、１００  電圧変動補償装置、
ＰＮ１〜ＰＮ３，ＰＮ  電圧補償回路、Ｖ１，Ｖ２，Ｖ３  コンデンサ電圧検出値、
Ｖｘ  系統電圧、Ｉｘ  系統電流。
【図１】
2005073376.tif 000003
【図２】
2005073376.tif 000004
【図３】
2005073376.tif 000005
【図４】
2005073376.tif 000006
【図５】
2005073376.tif 000007
【図６】
2005073376.tif 000008